(57)【要約】【課題】特殊な切断装置等を用いることなく注入装置を撤去することができるとともに、作業の邪魔にならず、また、注入装置撤去後にも確実な逆止効果を期待できる。【解決手段】シールド掘進機及び／又はその後方に接続される推進管の外周部へ薬剤を注入する推進工法における薬剤の注入装置５であって、上記薬剤の逆流を防止する逆止弁１１，１２と、上記推進管内に設けられる薬剤供給管から分岐して上記逆止弁へ薬剤を供給するフレキシブルチューブ２２と、推進作業終了後に、上記フレキシブルチューブを切断するチューブ切断機構２７と、上記逆止弁を収容保持するとともに、上記チューブ切断機構を設けたケーシング１０とを備えて構成される。【選択図】  図２
2004285616.tif 000002
【特許請求の範囲】
【請求項１】
シールド掘進機及び／又はその後方に接続される推進管の外周部へ薬剤を注入する推進工法における薬剤剤の注入装置であって、
上記薬剤の逆流を防止する逆止弁と、
上記推進管内に設けられる薬剤供給管から分岐して、上記逆止弁へ薬剤を供給するフレキシブルチューブと、
推進作業終了後に、上記フレキシブルチューブを切断するチューブ切断機構と、
上記逆止弁を収容保持するとともに、上記チューブ切断機構を設けたケーシングとを備える、薬剤の注入装置。
【請求項２】
上記チューブ切断機構は、
上記ケーシングの内側壁に沿って摺動可能に保持され、上記フレキシブルチューブを上記内側壁に沿って切断する切断刃と、
上記切断刃を摺動させる作動手段とを備える、請求項１に記載の薬剤の注入装置。
【請求項３】
上記作動手段が、上記切断刃に接続された牽引又は押圧部材である、請求項２に記載の薬剤の注入装置。
【請求項４】
上記ケーシングが、上記シールド掘進機及び／又は上記推進管の管壁に埋め込み状に設けられている、請求項１から請求項３のいずれかに記載の推進工法における薬剤の注入装置。
【請求項５】
上記ケーシング内にフレキシブルチューブを導入するチューブ導入口を、上記フレキシブルチューブ切断後に封止する封止機構を備えて構成されている、請求項１から請求項４のいずれかに記載の推進工法における薬剤の注入装置。
【請求項６】
上記封止機構は、上記切断刃とともに摺動して、上記導入口を封止する封止部材を備えて構成されている、請求項５に記載の推進工法における薬剤の注入装置。
【請求項７】
上記逆止弁は、上記フレキシブルチューブが接続される第１の逆止弁と、上記推進管の外周部に薬剤を吐出する第２の逆止弁を備えて構成されている、請求項１から請求項６のいずれかに記載の推進工法における薬剤の注入装置。
【請求項８】
上記第１の逆止弁と上記第２の逆止弁は、上記ケーシング内で独立した収容空間に保持されている、請求項７に記載の薬剤の注入装置。
【請求項９】
シールド掘進機及び／又はその後方に接続される推進管の外周部へ薬剤を注入する薬剤の注入方法であって、
上記シールド掘進機及び／又は上記推進管の管壁に埋め込み状に設けたケーシング内に保持される逆止弁と、上記推進管内から上記逆止弁に上記薬剤を供給するフレキシブルチューブとを備え、
上記逆止弁を介して上記推進管の外周部に上記薬剤を注入するとともに、
推進終了後に、上記フレキシブルチューブを上記ケーシングに設けた切断刃によって切断して撤去する、推進工法における薬剤の注入方法。
【請求項１０】
上記フレキシブルチューブを上記推進管の内面に沿って切断するとともに、フレキシブルチューブを上記ケーシング内へ導入する導入口を封止する、請求項９に記載の推進工法における薬剤の注入方法。
【請求項１１】
上記薬剤を、上記フレキシブルチューブが接続される第１の逆止弁と、薬剤を推進管の外周部へ吐出する第２の逆止弁とを介して注入する請求項９又は請求項１０のいずれかに記載の推進工法における薬剤の注入方法。
【請求項１２】
薬剤が、上記第２の逆止弁を設けた収容空間を介して上記第２の逆止弁に流入するように構成し、
推進作業終了後、上記フレキシブルチューブを介して上記第２の逆止弁を保持する収容空間に硬化剤を注入して硬化させることにより、薬剤の注入流路を封止する、請求項１１に記載の推進工法における潤滑剤の注入方法。
【請求項１３】
上記薬剤が、上記推進管の推進抵抗を減ずる潤滑剤、上記推進管の周囲の土壌を改良する土壌改良剤、上記推進管の周囲の土壌を硬化させる硬化剤から選ばれた薬剤である、請求項９から請求項１２のいずれかに記載の推進工法における薬剤の注入方法。
【請求項１４】
請求項１から請求項８に記載した薬剤注入装置を備える推進管。
【発明の詳細な説明】
【０００１】
【発明の属する技術分野】
本願発明は、推進工法において、掘進機あるいは推進管の外周部へ潤滑剤等の薬剤を注入する薬剤の注入装置及び薬剤の注入方法に関する。
【０００２】
【従来の技術】
地下埋設用の推進管（ヒューム管や先導管等）を推進させる推進工法においては、推進時に推進抵抗を低減させるための潤滑剤や、周囲の土壌を改良するための土壌改良剤等の薬剤を推進管の外周部に注入しながら推進作業を行う場合がある。特に、長距離を推進する場合には、推進管の全長にわたって潤滑剤を注入し、推進抵抗を低減させる必要がある。
【０００３】
従来、上記潤滑剤等を注入するために、推進管内に薬剤供給管を設けるとともに、推進管の管壁に注入口を設け、逆止弁を介して推進管の外周部へ薬剤を注入できるように構成している。上記のような薬剤の注入装置を設けた場合、推進作業の終了後に、上記薬剤注入管を含む上記薬剤注入装置を推進管から撤去しなければならない。
【０００４】
【特許文献１】特開２０００−８７６９
【０００５】
特許文献１に記載された発明は、推進管の管壁にバルブボディが合成樹脂で形成されたリリーフ弁を設け、これらリリーフ弁を介して潤滑剤を推進管の外周部へ注入する潤滑剤注入装置に関するものである。上記潤滑剤注入装置においては、推進作業終了後に、推進管の内面から突出している上記リリーフ弁を自走車に設けたカッタで切断することにより、潤滑剤注入装置を撤去できるように構成している。
【０００６】
【発明が解決しようとする課題】
上記特許文献に記載された潤滑剤注入装置では、切断可能なバルブボディを備えるリリーフ弁を採用しなければならない。このため、専用のリリーフ弁を製作する必要があったり、採用できるリリーフ弁の種類が制限されるという問題がある。
【０００７】
また、小口径の推進管においては、上記バルブボディを切断するために特殊な切断装置が必要である。上記特許文献１では、カッタ設けた自走車を用いて上記バルブボディを切断している。このため、装置が複雑になるとともに、工事コストが増加する。
【０００８】
また、上記公報に記載されたリリーフ弁は、推進作業終了後に切断撤去するため、推進管の内壁から突出して設けられる。このため、小口径の推進管では、管壁から突出した上記バルブボディが、他の機器を設置する場合の邪魔になったり、推進作業に邪魔になることが多い。
【０００９】
さらに、従来の潤滑剤注入装置は、一つの逆止弁を介して潤滑剤を注入していた。ところが、注入される潤滑剤や土壌改良剤等には、固形成分が含まれることが多い。このため、逆止弁の弁座に詰まって逆止効果が低下する場合がある。このような場合、施工後に、推進管の外周部に注入した薬剤のみならず、地下水等が推進管内に浸入するといった問題が生じやすい。
【００１０】
本願発明は、上記問題を解決するために案出されたものであって、特殊な切断装置等を用いることなく注入装置を撤去することができるとともに、作業の邪魔にならず、また、注入装置撤去後にも確実な逆止効果を期待できる、推進工法における薬剤の注入装置及び方法を提供するものである。
【００１１】
【課題を解決するための手段】
上記課題を解決するため、本願発明では、次の技術的手段を講じている。
【００１２】
本願発明は、シールド掘進機及び／又はその後方に接続される推進管の外周部へ薬剤を注入する推進工法における薬剤の注入装置であって、上記薬剤の逆流を防止する逆止弁と、上記推進管内に設けられる薬剤供給管から分岐して上記逆止弁へ薬剤を供給するフレキシブルチューブと、推進作業終了後に、上記フレキシブルチューブを切断するチューブ切断機構と、上記逆止弁を収容保持するとともに、上記チューブ切断機構を設けたケーシングとを備えて構成される。
【００１３】
本願発明に係る薬剤注入装置によって注入される薬剤は特に限定されることはない。たとえば、推進管の摩擦抵抗を減ずる潤滑剤、推進管の周囲の土壌を改良する土壌改良剤、推進管の周囲を硬化させる硬化剤等を採用することができる。さらに、地中に管路を敷設するためではなく、地中に薬剤を注入する目的で推進作業を行うこともできる。たとえば、汚染された土壌を中和したり無害化するための薬剤を注入する目的で推進作業を行う場合にも適用できる。
【００１４】
また、推進管を推進させながら上記薬剤を注入できるのみならず、管路を敷設した後に上記薬剤を注入することもできる。
【００１５】
本願発明に係る薬剤注入装置は、柔軟なフレキシブルチューブを逆止弁に接続して薬剤を注入するとともに、推進作業終了後に、このフレキシブルチューブを切断して薬剤供給管路とともに撤去できるように構成したものである。
【００１６】
上記逆止弁の形態は特に限定されることはない。たとえば、一般に市販されているリフト式のチェックバルブを採用することができる。また、他の形態の逆止弁を採用することもできる。
【００１７】
上記フレキシブルチューブの種類も特に限定されることはなく、刃物で容易に切断できるとともに、切断後推進管の内壁等を傷めることなく撤去できれるものであればよい。たとえば、ゴム製チューブ、樹脂製のチューブ等を採用できる。また、少なくとも切断箇所にのみフレキシブルチューブを採用すればよい。たとえば、金属製の薬剤供給管を推進管の内部に配設するとともに、この薬剤供給管と上記逆止弁の間をフレキシブルチューブで接続することができる。
【００１８】
上記チューブ切断機構の形態は特に限定されることはない。たとえば、請求項２に記載した発明のように、上記チューブ切断機構を、上記ケーシングの内側壁に沿って摺動可能に保持されて、上記フレキシブルチューブを上記内側壁に沿って切断する切断刃と、上記切断刃を摺動させる作動手段とを備えて構成することができる。
【００１９】
上記切断刃の形態も特に限定されることはなく、直線状のものであっても曲線状のものであってもよい。また、切断刃の摺動態様も特に限定されることはない。直線に沿って摺動させることもできるし、円弧を描くように摺動させることもできる。
【００２０】
また、上記切断刃は、上記ケーシングの内側壁に沿って摺動させるのが好ましい。これにより、フレキシブルチューブを上記ケーシングの内面と面一の状態で切断することが可能となり、撤去後にフレキシブルチューブの切断部が推進管内に突出して邪魔になることがない。
【００２１】
上記切断刃は、チューブ切断後に、上記作動手段とともに撤去するように構成することもできるし、バルブ近傍に残留させるように構成することもできる。
【００２２】
上記作動手段として、請求項３に記載した発明のように、上記切断刃に接続された牽引又は押圧部材を採用できる。たとえば、上記作動手段として、牽引ワイヤ等を用いて切断刃を牽引して摺動させることができる。上記作動手段は、必ずしも推進基点あるいは推進到達点から牽引あるいは押圧操作する必要はなく、排泥管等の撤去動作を利用して上記作動手段を作動させるように構成できる。たとえば、上記牽引ワイヤを排泥管の側面等に連結しておいて、上記排泥管の撤去とともに、上記牽引ワイヤが上記チューブ切断機構を作動させるように構成することができる。
【００２３】
また、上記作動手段の作動形態も牽引操作のみに限定されることはなく、切断刃を押圧あるいは回動させるように構成して、上記フレキシブルチューブを切断することができる。
【００２４】
本願発明では、上記逆止弁を収容保持するとともに、上記チューブ切断機構を設けたケーシングを備えて構成される。上記ケーシングを設けることにより、上記逆止弁及び上記チューブ切断機構を容易に設けることができる。
【００２５】
本願の請求項４に記載した発明は、上記ケーシングを、上記シールド掘進機及び／又は上記推進管の管壁に埋め込み状に設けたものである。
【００２６】
上記ケーシングをシールド掘進機あるいは推進管の管壁に埋め込み状に設けることにより、上記逆止弁を推進管の管壁内に保持することが可能となる。また、推進作業中はもちろん、推進終了後に推進管の内壁から逆止弁等が突出するのを防止できる。したがって、推進作業終了後に、上記逆止弁を切断したり、撤去する必要がなくなる。
【００２７】
上記ケーシングの内側面は、上記推進管の内面と面一に形成するのが望ましい。上記ケーシングの内側面を推進管の内面と面一に形成することにより、上記ケーシングの内側壁に沿って上記フレキシブルチューブを切断することが可能となり、推進管から構成される管路に凹凸がなくなる。
【００２８】
本願の請求項５に記載した発明は、上記ケーシング内にフレキシブルチューブを導入するチューブ導入口を、上記フレキシブルチューブ切断後に封止する封止機構を備えて構成したものである。
【００２９】
上記封止機構を設けることにより、薬剤注入装置を撤去した後に、逆止弁の逆止め効果が低下した場合にも、薬剤等が推進管内に逆流するのを防止できる。また、推進管の内面を滑らかに構成することができるため、管路を下水管として利用する場合等に、下水の流動が阻害されることがなくなる。
【００３０】
上記封止機構の構成は特に限定されることはない。たとえば、請求項６に記載した発明のように、上記切断刃とともに摺動して、上記導入口を封止する封止部材を設けて構成することができる。上記切断刃と上記封止部材とを一体的に形成することもできるし、上記封止部材を切断刃から離脱可能に接続しておき、上記切断刃が作動手段ととともに撤去される一方、上記封止部材が上記導入口を封止するように構成することもできる。
【００３１】
本願の請求項７に記載した発明は、上記逆止弁を、上記フレキシブルチューブが接続される第１の逆止弁と、上記推進管の外周部に薬剤を吐出する第２の逆止弁とを備えて構成したものである。
【００３２】
上記二つの逆止弁を介して薬剤を注入するように構成することにより、確実な逆止効果を期待できる。上記逆止弁の種類は、特に限定されることはなく、同一の逆止弁を採用することもできるし、異なる形態の逆止弁を採用できる。
【００３３】
請求項８に記載した発明のように、上記第１の逆止弁と上記第２の逆止弁を、上記ケーシング内で独立した収容空間に保持するのが好ましい。上記第１の逆止弁と上記第２の逆止弁を、上記ケーシング内で独立した収容空間に保持することにより、逆止効果を高めることができる。また、推進工事の終了後に、セメント等の硬化剤を上記第２の逆止弁の収容空間に充填して硬化させることにより、推進管の外周部から水等が逆流するのを防止できる。
【００３４】
本願の請求項９に記載した発明は、シールド掘進機及び／又はその後方に接続される推進管の外周部へ薬剤を注入する薬剤の注入方法であって、上記シールド掘進機及び／又は上記推進管の管壁に埋め込み状に設けたケーシング内に保持される逆止弁と、上記推進管内から上記逆止弁に上記薬剤を供給するフレキシブルチューブとを備え、上記逆止弁を介して上記推進管の外周部に上記薬剤を注入するとともに、推進終了後に、上記フレキシブルチューブをケーシングに設けた切断刃によって切断して撤去するものである。
【００３５】
本願の請求項１０に記載した発明は、上記フレキシブルチューブを上記推進管の内面に沿って切断するとともに、フレキシブルチューブを上記ケーシング内へ導入する導入口を封止する薬剤の注入方法に係るものである。
【００３６】
本願の請求項１１に記載した発明は、上記薬剤を、上記フレキシブルチューブが接続される第１の逆止弁と、薬剤を推進管の外周部へ吐出する第２の逆止弁とを介して注入する薬剤の注入方法に係るものである。
【００３７】
本願の請求項１２に記載した発明は、薬剤が、上記第２の逆止弁を設けた収容空間を介して上記第２の逆止弁に流入するように構成し、推進作業終了後、上記フレキシブルチューブを介して上記第２の逆止弁を保持する収容空間に硬化剤を注入して硬化させることにより、薬剤の注入流路を封止する、薬剤の注入方法に係るものである。
【００３８】
第２の逆止弁への流入路である収容空間を硬化剤で充填できるため、推進作業終了後に薬剤や地下水等が推進管内に浸入することはなくなる。上記硬化剤の種類は特に限定されることはなく、たとえば、セメントモルタル等を採用できる。
【００３９】
本願の請求項１３に記載した発明は、上記薬剤として、上記推進管の推進抵抗を減ずる潤滑剤、上記推進管の周囲の土壌を改良する土壌改良剤、上記推進管の周囲の土壌を硬化させる硬化剤から選ばれた薬剤を採用したものである。
【００４０】
上記土壌改良剤として、地盤改良剤等の土木工学的に土壌を改良する薬剤に限定されることはない。たとえば、土壌汚染物質を中和し、あるいは汚染が拡大するのを防止する薬剤を採用することもできる。
【００４１】
本願の請求項１４に記載した発明は、請求項１から請求項８に記載した薬剤注入装置を備える推進管に関するものである。
【００４２】
【発明の実施の形態】
以下、本願発明の実施の形態を図に基づいて具体的に説明する。なお、本実施の形態では、薬剤として推進管の推進抵抗を減ずるための潤滑剤を注入する場合について説明するが、土壌改良剤等の他の薬剤を採用することもできる。また、本実施の形態では、推進作業と平行して薬剤を注入したが、推進管を敷設した後に薬剤を注入することもできる。
【００４３】
図１に示すように、図示しないシールド掘進機の後方に推進管１，１ａが接続されている。本実施の形態では、推進起点に潤滑剤を圧送するポンプ２を設け、潤滑剤貯溜槽３から推進管内に設けた潤滑剤供給管路４を介して、潤滑剤注入装置５に潤滑剤が供給される。
【００４４】
選択された推進管１ａの管壁６に本実施の形態に係る潤滑剤注入装置５が設けられている。なお、すべての推進管に上記潤滑剤注入装置５を設ける必要はない。また、各推進管に設けられる潤滑剤注入装置５の数も特に限定されることはない。
【００４５】
図２は、図１に示す潤滑剤注入装置の拡大断面図である。推進管１ａの管壁６は、鋼板製の外壁部７とコンクリート製の内壁部８とを備えて構成されている。本実施の形態に係る潤滑剤注入装置５は、上記管壁６に矩形状の開口部９を設けるとともに、この開口部９に鋼板で形成された直方体状のケーシング１０を埋め込み状に設け、このケーシング１０に逆止弁１１，１２を保持して構成される。上記ケーシング１０の厚さは、上記推進管１ａの管壁６の厚さとほぼ同一に形成されており、上記ケーシング１０の縁部外周が上記推進管１ａの外壁部７に溶接されている。
【００４６】
上記ケーシング１０は、外側に開口する箱状の本体１３と、この開口１４をシート状のパッキン１５を介して封止する蓋体１６とを備える。上記蓋体１６は、複数のねじ１７によって上記本体１３に連結されている。上記本体１３の軸方向中間部には隔壁１８が設けられており、この隔壁１８を介して二つの逆止弁収容空間１９，２０が形成されている。そして、これら逆止弁収容空間１９，２０に、第１の逆止弁１１と第２の逆止弁１２とがそれぞれ収容保持されている。上記第１の逆止弁１１を収容する収容空間１９の内側壁２１には、上記第１の逆止弁１１に潤滑剤を供給するフレキシブルチューブ２２を導入するチューブ導入口２３が設けられている。
【００４７】
本実施の形態では、上記第１の逆止弁１１として、リフト式の汎用チャッキ弁を採用する一方、上記第２の逆止弁１２として、直径方向に伸びる支持体２４の両側で回動可能に保持されたバタフライ型の弁体２５を備える逆止弁を採用している。
【００４８】
上記第１の逆止弁１１の流入口にはホースニップル２６が接続さており、柔軟な樹脂で形成された上記フレキシブルチューブ２２が上記ホースニップル２６を介して上記第１の逆止弁１１に接続されている。図３に示すように、上記フレキシブルチューブ２２の他端部は、上記潤滑剤供給管４に接続されており、上記フレキシブルチューブ２２を介して、上記第１の逆止弁１１に潤滑剤が供給されるように構成されている。
【００４９】
上記第１の逆止弁１１を保持する収容空間１９と、上記第２の逆止弁１２を保持する収容空間２０とは、上記隔壁１８を介してそれぞれが独立して形成されている。潤滑剤は、上記第１の逆止弁１１から上記第２の逆止弁収容空間２０に注入された後、上記第２の逆止弁１２を介して推進管１ａの外周部へ吐出するように構成されている。
【００５０】
図６及び図７に示すように、上記チューブ導入口２３を設けたケーシング１０の内側壁２１には、上記フレキシブルチューブ２２を切断するチューブ切断機構２７が設けられている。
【００５１】
本実施の形態に係るチューブ切断機構２７は、上記ケーシング１０の内側壁２１の外面に形成されたガイド部２８と、上記ガイド部２８に摺動可能に保持された切断刃２９と、上記切断刃２９の先端部分に接続された牽引部材３０とを備えて構成されている。また、本実施の形態では、上記切断刃２９の後部に、上記切断刃２９が摺動させられてフレキシブルチューブ２２をカットした後に、上記チューブ導入口２３を封止する封止部材３１が接続されている。
【００５２】
上記ガイド部２８は、上記ケーシング１０の内側壁２１の外面に鋼板を積層して、上記切断刃２９を直線に沿って摺動させる摺動隙間を設けて構成されている。
【００５３】
上記切断刃２９は、図８に示すように、矩形板状の部材の内側部に台形状の開口部３２を設け、この台形の斜辺に切刃３３を設けて構成されている。上記切断刃２９は、先端部分に牽引部材３０を連結する連結穴３４が設けられており、この連結穴３４に連結された牽引部材３０によって牽引されることにより、上記ガイド部２８に沿って摺動できるように構成されている。
【００５４】
本実施の形態に係る上記牽引部材３０は、図３に示すように、一端が上記連結穴３４に連結される一方、他端部は、推進管１ａの下部に配置された送泥管３５及び排泥管３６の外壁に設けた連結部３７に連結されている。推進作業が終了した後、上記送泥管３６及び排泥管３７を撤去する際、上記牽引部材３０が牽引されて、上記切断刃２９が摺動させられ、上記フレキシブルチューブ２２が、上記内側壁２１に沿って切断されるように構成されている。
【００５５】
上記封止部材３１は、上記切断刃２９と同一の厚さの鋼板で形成されており、上記切断刃２９の後部に離脱可能に接続されている。実施の形態では、一定以上の牽引力が作用すると、破断する図示しないテープ状の部材を介して、上記切断刃２９と封止部材３１とが連結されている。
【００５６】
図８に示すように、上記ガイド部２８の一側に、上記フレキシブルチーブ２２を切断した後に、上記封止部材３１の摺動を阻止する段部３８が形成されている。一方、他側には、上記段部３８で摺動が阻止された上記封止部材３１の後退を阻止するくさび状の切欠き部３９が形成されている。また、図６及び図７に示すように、上記フレキシブルチューブ２２は、上記切断刃２９の開口部３２及び上記チューブ導入口２３を介して、上記第１の逆止弁１１を収容した収容空間１９に導入されている。
【００５７】
図８から図１０に基づいて、上記封止部材３１の動きを説明する。上記排泥管３６及び送泥管３５の撤去によって上記牽引部材３０が牽引されると、上記切断刃２９及び封止部材３１が上記ガイド部２８に案内されて摺動させられる。図９に示すように、上記封止部材３１が上記段部３８に当接すると、それ以上の摺動が阻止されて、上記封止部材３１と上記切断刃２９との間の張力が大きくなる。すると、上記封止部材３１と切断刃２９とを連結したテープ状部材に大きな力が作用する。上記段部３８は、ガイド部２８の片側にのみ形成されているため、上記封止部材３１の他端部は、回転するように変位しながら上記切欠き部３９に嵌まり込むとともに、上記テープ状部材が破断して上記封止部材３１と上記切断刃２９とが分離させられる。
【００５８】
上記封止部材３１は、上記切欠き部３９に嵌まり込んで後退できない姿勢で、上記チューブ導入口２３を封止する。これにより、上記チューブ導入口２３を確実に封止できる。一方、図１０に示すように、上記切断刃２９は、上記牽引部材３０、送泥管３５、排泥管３６とともに撤去される。
【００５９】
本実施の形態では、図１１に示すように、上記切断刃２９の撤去後に、上記フレキシブルチューブ２２の端部が推進管１ａの内部に突出することがない。また、上記ケーシング１０の内面と上記推進管１ａの内面とが同一面になるように設定されている。このため、推進管１ａを下水路等に使用に供した場合に、推進管内を流動する流体の流れを阻害することはない。
【００６０】
また、二つの逆止弁１１，１２を介して潤滑剤を注入するように構成しているため、逆止効果が大きく、推進終了後に地下水等が推進管内部に流入することもない。
【００６１】
また、上記フレキシブルチューブ２２を切断するために、特別な装置を全く必要としないため、潤滑剤供給管等４の撤去作業をきわめて容易に行うことができる。
【００６２】
さらに、本実施の形態では、上記第２の逆止弁１２を独立した収容空間２０に保持するとともに、潤滑剤を上記収容空間２０を介して上記第２の逆止弁１２に流入させるように構成している。このため、推進終了後にセメントモルタル等の硬化剤を上記収容空間２０に充填して、上記第２の逆止弁１２とともに潤滑剤の流路を完全に封止することができる。これにより、推進作業終了後に潤滑剤や地下水等が推進管内に逆流することはない。
【００６３】
また、上記の実施の形態では、切断刃２９を直線に沿って摺動させたが、図１２及び図１３に示す第２の実施の形態のように、切断刃２２９を回動するように摺動させることもできる。
【００６４】
図１２及び図１３に示す第２の実施の形態に係るチューブ切断機構２２７は、軸２４１回りに回転摺動可能に保持された略扇型状の切断刃２２９と、牽引部材２３０に連結されて牽引される棒状部材２４１とを備えて構成されている。上記切断刃２２９の外周部には係合凹部２４２が形成される一方、上記棒状部材２４１には、上記係止凹部２４２に係合する係合凸部２４３が形成されている。
【００６５】
上記棒状部材２４１はガイド部２２８に直線摺動可能に保持されており、上記棒状部材２４１を摺動させると、上記係合凸部２４３が上記係合凹部２４２に係合して、上記切断刃２２９を回動させる。上記切断刃２２９の縁部には切刃２３３が形成されており、上記切断刃２２９の回転によってフレキシブルチューブ２２２が切断される。上記係合凸部２４３と上記係合凹部２４２は、フレキシブルチューブ２２２を切断した後に、上記切断刃２２９の内側面がチューブ導入口２２３を封止した回動位置で離脱するように設定されている。これにより、上記第１の実施の形態と同様の効果を期待できる。
【００６６】
本願発明は、上述の実施の形態に限定されることはない。実施の形態では、２つの逆止弁１１，１２を介して潤滑剤を注入するように構成したが、一つの逆止弁のみを介して注入することもできる。
【００６７】
実施の形態では、送泥管３５及び排泥管３６に牽引部材を連結して、切断機構を作動させるように構成したが、推進基点あるいは到達点に延出するワイヤ等の牽引部材を推進管内に別途設けることもできる。
【００６８】
実施の形態では、推進管の対向する２箇所に潤滑剤注入装置を設けたが、４箇所に設けることもできる。
【００６９】
実施の形態では、箱状本体１３を外側に開口する蓋体１６を設けたが、推進管の内側に向けて開口するように構成することもできる。また、上記蓋体１６をパッキン１５及びねじ１７を介してを介して箱状本体１３に取り付けたが、溶接によって取り付けることもできる。
【図面の簡単な説明】
【図１】本願発明に係る潤滑剤注入装置設けた推進管の概要を示す軸断面図である。
【図２】第１の実施の形態に係る潤滑剤注入装置の縦断面図である。
【図３】図１における  ＩＩＩ−ＩＩＩ  線に沿う断面図であり、潤滑剤注入装置の設置状態を示す拡大断面図である。
【図４】図２示す潤滑剤注入装置の平面図である。
【図５】図２に示す潤滑剤注入装置の蓋体を取り外した状態を示す平面図である。
【図６】図４におけるＶＩ−ＶＩ線に沿う断面図である。
【図７】図２の要部の拡大図である。
【図８】図７におけるＶＩＩＩ−ＶＩＩＩ線に沿う断面図であり、切断刃の作用を示す説明図である。
【図９】図７におけるＶＩＩＩ−ＶＩＩＩ線に沿う断面図であり、切断刃の作用を示す説明図である。
【図１０】図７におけるＶＩＩＩ−ＶＩＩＩ線に沿う断面図であり、切断刃の作用を示す説明図である。
【図１１】フレキシブルチューブを切断した直後の状態を示す断面図であり、図７に対応する図である。
【図１２】本願発明の第２の実施の形態を示す図であり、図８に相当する断面図である。
【図１３】本願発明の第２の実施の形態を示す図であり、図１０に相当する断面図である。
【符号の説明】
１  推進管
５  注入装置
１０  ケーシング
１１  逆止弁
１２  逆止弁
２２  フレキシブルチューブ
２７  チューブ切断機構
【図１】
2004285616.tif 000003
【図２】
2004285616.tif 000004
【図３】
2004285616.tif 000005
【図４】
2004285616.tif 000006
【図５】
2004285616.tif 000007
【図６】
2004285616.tif 000008
【図７】
2004285616.tif 000009
【図８】
2004285616.tif 000010
【図９】
2004285616.tif 000011
【図１０】
2004285616.tif 000012
【図１１】
2004285616.tif 000013
【図１２】
2004285616.tif 000014
【図１３】
2004285616.tif 000015